(57)【特許請求の範囲】
【請求項１】
中間ケースの両側にそれぞれ側ケースを重ねて中間ケースと側ケースとの間にそれぞれ接点部を収納するとともに、前記側ケース間に前記接点部を開閉する手段を収納した回路遮断器であって、器体内部を露見させる通孔と、該通孔の一端に連設されて上部方向に突出するハンドル突部と、該ハンドル突部の通孔側の端面底側からハンドル方向に切り込んだ切り込み凹所と、該切り込み凹所に連通して通孔の開口面に設けられる凹み部とを形成した器体と、該器体の凹み部から切り込み凹所方向に差し込まれて通孔を塞ぐカバーと、を備えた回路遮断器において、
前記カバーは、切り込み凹所に差し込まれる先端を狭幅とした二股状に形成されたことを特徴とする回路遮断器。
【請求項２】
前記カバーの二股状の先端の幅寸法を、各側壁の切り込み凹所における上端及び下端の少なくとも一方の幅よりも狭幅としたことを特徴とする請求項１記載の回路遮断器。
【発明の詳細な説明】
【０００１】
【発明の属する技術分野】
本発明は、部品を横はめしきとして収納する回路遮断器に関するものである。
【０００２】
【従来の技術】
従来、特開平１１−１６４７８号公報に示す回路遮断器が存在する。このものは、中間ケースと両側ケースとから器体を三分割し、これらの各ケース間に接点を各々配設したものである。器体の上面には、ハンドルが突出するハンドル突部が形成され、ハンドル突部に連続して器体内部を臨む通孔が形成されている。このハンドル突部の側面下部には三つのケースに渡って連続する切り込み凹所が形成されるとともに、通孔の周囲にはこの切り込み凹所に連通する凹み部が形成されている。上述した構成の回路遮断器にあっては、通孔を塞ぐ四角形状のカバーを有しており、まず切り込み凹所にカバーの一辺を差し込んだ後、凹み部にカバーをはめ込むことでカバーが器体に取着されるようになっている。
【０００３】
【発明が解決しようとする課題】
ところが、上述のような構成の回路遮断器にあっては、器体を三分割ケースにより構成しているので、製造誤差によって三分割ケースの接合位置が設計よりも幾分上下にずれる等により、カバーがはめ込まれる切り込み凹所を３つのケースにわたって段差なく設けることができなくなることがあった。この場合、四角形状のカバーを差し込むときにその先端が切り込み凹所に生じる段差で引っかかり、カバーを切り込み凹所に大変差し込みにくいという問題点を有していた。
【０００４】
本発明は、上記の問題点に鑑みて成されたものであり、その目的とするところは、器体上面に形成された通孔を塞ぐためのカバーを差し込みやすい回路遮断器を提供することにある。
【０００５】
【課題を解決するための手段】
請求項１記載の発明は、中間ケースの両側にそれぞれ側ケースを重ねて中間ケースと側ケースとの間にそれぞれ接点部を収納するとともに、前記側ケース間に前記接点部を開閉する手段を収納した回路遮断器であって、器体内部を露見させる通孔と、該通孔の一端に連設されて上部方向に突出するハンドル突部と、該ハンドル突部の通孔側の端面底側からハンドル方向に切り込んだ切り込み凹所と、該切り込み凹所に連通して通孔の開口面に設けられる凹み部とを形成した器体と、該器体の凹み部から切り込み凹所方向に差し込まれて通孔を塞ぐカバーと、を備えた回路遮断器において、前記カバーは、切り込み凹所に差し込まれる先端を狭幅とした二股状に形成されたことを特徴とするものである。
【０００６】
請求項２記載の発明は、請求項１記載の回路遮断器において、前記カバーの二股状の先端の幅寸法を、各側壁の切り込み凹所における上端及び下端の少なくとも一方の幅よりも狭幅としたことを特徴とするものである。
【０００７】
【発明の実施の形態】
以下、本発明の一実施の形態に係る回路遮断器について図１乃至図６に基づいて詳細に説明する。図１は回路遮断器の分解斜視図である。図２は回路遮断器の外観斜視図である。図３は回路遮断器の上面図である。図４は回路遮断器のＡ−Ａ断面図である。図５は回路遮断器の側面図である。図６は回路遮断器のＢ−Ｂ断面図である。なお、図４及び図６において、破線はケース２、３、４間の接合部分を示しており、破線においてケース２、３、４が接合されていることを示している。
【０００８】
本実施の形態に係る回路遮断器は、図１に示すように、第１側ケース２と、中間ケース３と、第２側ケース４とを備えてなる。このものにあっては、中間ケース３の両側にそれぞれ側ケース２、４を重ね、中間ケース３と側ケース２、４との間にそれぞれ接点部８５、８６を収納するとともに、側ケース２、４間に接点部８５、８６を開閉する手段８１を収納している。
【０００９】
第１側ケース２はハンドル６の枢支孔５を略中央上部の位置に略筒状に形成し、第１側ケース２の両側には入出力端子７、８が配設されている。第１側ケース２の一面側から接点部８５を構成する第１の固定側電路構成１７、第１の可動側電路構成１８及び第１の可動側電路構成１８の可動接触子１９を支持する駆動部材２０が組み込まれ、位置決め支持されている。第１の固定側電路構成１７は、固定接点１５を有する固定接触子２１と、固定接触子２１の端部に設けた速結端子構造の端子８からなる。２４は端子８の解錠レバーである。
【００１０】
第１の可動側電路構成１８は、固定接点１５に接離する可動接点２５を有する板バネを用いた可動接触子１９と、この端部に連結された端子ネジ型の端子７とからなる。入出力端子７、８は、第１の固定側電路構成１７及び第１の可動側電路構成１８の互いに離れた端部に設けられ、第一側ケース２、中間ケース３及び第２側ケース４から露出するように配設される。
【００１１】
中間ケース３は、第１側ケース２の一面側に重ねられて第１の固定側電路構成１７及び第１の可動側電路構成１８を隣接する他極に対して絶縁する。中間ケース３は電路構成やその他の必要部品を第１側ケース２に対して位置決めして押さえる役目を果たしている。
【００１２】
中間ケース３は、その下端部に零相変流器等を収納するためのスペースを設けるため、第１側ケース２の高さよりも短い高さにしている。この中間ケース３の一面側に、接点部８６を構成する第２の固定側電路構成３０及び駆動部材２０に組み込む第２の可動接触子３１を有する第２の可動側電路構成３２が組み込み支持されている。
【００１３】
第２の固定側電路構成３０及び第２の可動側電路構成３１は互いに離れた端部に第１側ケース２、中間ケース３及び第２側ケース４から露出する入出力端子７、８を有する。第２の固定側電路構成３０は、固定接点５０を有する固定接触子５１と、解錠レバー２４付きの速結端子構造の端子８とからなる。第２の可動側電路構成３２は、可動接点５２を有する可動接触子３１と、可動接触子３１に接続された可撓電線５３と、可撓電線５３に接続されたバイメタル５４と、バイメタル５４を連結した端子ネジ型の端子７と、端子７に設けられてバイメタル５４を囲む短絡検出用の磁性板５５とからなっている。なお、６３はバイメタル調整ネジであり、６５はハンドル復帰バネである。
【００１４】
接点部８５、８６を開閉する手段８１は、ハンドル６と、このハンドル６にリンク３３を介して連結されたラッチ部材３４の一端側に押圧されて各接点部８５、８６を開閉駆動する駆動部材２０と、通常状態でラッチ部材３４の他端側を係止するとともに異常電流が検出されたときにラッチ部材３４の係止を解除して接点部８５、８６を強制開極する引き外し部材３５とを有している。ハンドル６は器体１の上部に突出するように設けられたハンドル突部１ａにおいて、側ケース２、４間に回動自在に枢着されている。ハンドル６はハンドル突部１ａにより、器体１の上端に突出して設けることができるため、ハンドル６の操作性を高めることが可能になる。また、駆動部材２０及び引き外し部材３５についても、器体１内において中間ケース３を通過して側ケース２、４間に回動自在に枢着されている。
【００１５】
第２側ケース４は、中間ケース３を介して第１側ケース２の一面側に重ねられて内装する部品等を隠蔽し、内装部品等を位置決めし押さえる役目を果たしている。側ケース２、４及び中間ケース３は、リベットやネジ等を用いた連結具７３、７４を用いて連結されるようになっている。
【００１６】
９０はカバーであり、バイメタル調整ネジ６３を調整するために設けられた通孔９１を塞ぐためのものである。この通孔９１は、ハンドル突部１ａに連設されており、ハンドル突部１ａの通孔９１側の端面底側にはカバー９０の端部が挿入される切り込み凹所９２がハンドル方向に切り込んで形成されている。この切り込み凹所９２に連通してカバー９０がはめ込み載置される凹み部９３が通孔９１の開口周囲に形成されている。
【００１７】
上記したように本実施の形態に係る回路遮断器にあっては、側ケース２、４及び中間ケース３とから通孔９１や切り込み凹所９２、凹み部９３が形成されるようになっている（図６参照）。その際、側ケース２、４及び中間ケース３において、製造誤差等により三分割ケースの接合位置にずれが生じると、図４に示すように、切り込み凹所９２がケース２、３、４の接合部分にて段差９４を生じることになる。
【００１８】
この時、従来の四角形状のカバーであれば、カバーの一辺端部において複数箇所に生ずるこの段差９４に引っかからないように注意しながら挿入しなければならず、引っかかった場合はその状態を解消するため挿入する際にカバーにかける挿入荷重を引っかかった箇所の数に応じて大きくしなければならないため、カバーを容易に切り込み凹所９２に差し込むことができない。しかしながら、本実施の形態のカバー９０にあっては、切り込み凹所９２に差し込まれる先端を狭幅とした二股状に形成しているため、カバー９０を挿入する際にカバー９０の先端が引っかかる恐れのある箇所を低減することができるため、挿入の際に注意すべき段差９４の数が少なくなるとともに、カバー９０を挿入する際に必要になる挿入荷重を従来のものに比して低減することが可能になるのである。
【００１９】
なお、カバー９０の二股状の先端の幅寸法を、側ケース２、３、４において切り込み凹所９２を形成する箇所の上端及び下端の少なくとも一方の幅よりも狭幅とするようにしてもよい。これにより、二股状のカバー９０の各端部において段差９４に係合する箇所は多くても１箇所程度となるとともに、挿入されたカバー９０の先端がガイドとなり、段差９４のある箇所にあってはカバー９０の先端が２つのケース２、３、４間に徐々に跨る形となるため、更にカバーを取着しやすくなるのである。
【００２０】
【発明の効果】
以上のように、請求項１記載の発明にあっては、中間ケースの両側にそれぞれ側ケースを重ねて中間ケースと側ケースとの間にそれぞれ接点部を収納するとともに、前記側ケース間に前記接点部を開閉する手段を収納した回路遮断器であって、器体内部を露見させる通孔と、該通孔の一端に連設されて上部方向に突出するハンドル突部と、該ハンドル突部の通孔側の端面底側からハンドル方向に切り込んだ切り込み凹所と、該切り込み凹所に連通して通孔の開口面に設けられる凹み部とを形成した器体と、該器体の凹み部から切り込み凹所方向に差し込まれて通孔を塞ぐカバーと、を備えた回路遮断器において、前記カバーは、切り込み凹所に差し込まれる先端を狭幅とした二股状に形成されたので、カバーがケースに引っかかる部分を小さくすることができるため、カバーの初期挿入荷重を小さくすることができ、カバーを取着しやすい回路遮断器を提供することが可能になるという効果を奏する。
【００２１】
請求項２記載の発明にあっては、請求項１記載の回路遮断器において、前記カバーの二股状の先端の幅寸法を、各側壁の切り込み凹所における上端及び下端の少なくとも一方の幅よりも狭幅としたので、カバーを取着するときに先端が２つの壁間に徐々に跨る形となり、２つの壁間の段差を吸収することができ、更にカバーを取着しやすくなるという効果を奏する。
【図面の簡単な説明】
【図１】図１は回路遮断器の分解斜視図である。
【図２】回路遮断器の外観斜視図である。
【図３】回路遮断器の上面図である。
【図４】回路遮断器のＡ−Ａ断面図である。
【図５】回路遮断器の側面図である。
【図６】回路遮断器のＢ−Ｂ断面図である。
【符号の説明】
１    器体
１ａ  ハンドル突部
２    第一側ケース
３    中間ケース
４    第２側ケース
６    ハンドル
８１  開閉する手段
８５、８６  接点部
９０  カバー
９１  通孔
９２  切り込み凹所
９３  凹み部
【図１】
0003744259.tif 000002
【図２】
0003744259.tif 000003
【図３】
0003744259.tif 000004
【図４】
0003744259.tif 000005
【図５】
0003744259.tif 000006
【図６】
0003744259.tif 000007